【手続補正書】
【提出日】平成27年11月4日(2015.11.4)
【手続補正１】
【補正対象書類名】特許請求の範囲
【補正対象項目名】全文
【補正方法】変更
【補正の内容】
【特許請求の範囲】
【請求項１】
透析システム（１０，２１０，３１０）であって、
少なくとも一人の患者又は透析器（20, 108, 212, 312）と流体連通された吸着剤カートリッジ（32, 116, 200a, 200b, 300a, 300b）であって、前記吸着剤カートリッジは、ハウジング（40）を含み、前記ハウジング（40）は、
ｉ）ウレアーゼ層（62, 74, 84）、酸化ジルコニウム層（64, 78, 86, 90）または炭素層（66, 80, 92）のうち少なくとも一つが続くリン酸ジルコニウム層（60, 63, 72, 76, 88）、又は、
ｉｉ）リン酸ジルコニウム層（60, 63, 72, 76, 88）が続くウレアーゼ層（62, 74, 84）と、を有する、前記吸着剤カートリッジと、
前記吸着剤カートリッジと流体連通された貯蔵容器（26, 104, 114, 224a, 224b, 230, 324, 330）と、
前記吸着剤カートリッジ及び前記貯蔵容器と流体連通されたポンプ（110, 218, 220, 232, 320, 332）と、
前記ポンプと操作可能に連通された制御ユニット（250, 350）であって、前記制御ユニットは、前記ポンプに透析液を圧送させて第１方向および第２方向に流すようにプログラムされた前記制御ユニットと、
を備え、
（ｉ）前記吸着剤カートリッジを通る第１方向において、
ａ）ウレアーゼ層、酸化ジルコニウム層または炭素層のうちの少なくとも一つが続くリン酸ジルコニウムを有するハウジング内で、前記リン酸ジルコニウム層は、前記ウレアーゼ層、酸化ジルコニウム層または炭素層のうちの少なくとも一つより先に前記透析液によって接触され、又は、
ｂ）前記ウレアーゼ層は、リン酸ジルコニウムが続くウレアーゼ層を有するハウジング内で、前記リン酸ジルコニウム層より先に前記透析液によって接触され、
（ｉｉ）前記吸着剤カートリッジを通る第１方向とは逆の前記第２方向において、
ａ）ウレアーゼ層、酸化ジルコニウム層または炭素層のうちの少なくとも一つが続くリン酸ジルコニウムを有するハウジング内で、ウレアーゼ層、酸化ジルコニウム層または炭素層のうちの少なくとも一つが、前記リン酸ジルコニウム層より先に前記透析液によって接触され、又は、
ｂ）前記リン酸ジルコニウム層は、リン酸ジルコニウムが続くウレアーゼ層を有するハウジング内で、前記ウレアーゼ層より先に前記透析液によって接触される、透析システム。
【請求項２】
前記制御ユニットは、前記ポンプに前記吸着剤カートリッジを通して前記透析液を少なくとも２サイクルの間再循環させ、その後、前記透析液が前記貯蔵容器に保存されるようにプログラムされる、請求項１に記載の透析システム（10, 210, 310）。
【請求項３】
血液透析、血液濾過、血液透析濾過または腹膜透析システムである、請求項１に記載の透析システム（10, 210, 310）。
【請求項４】
前記透析液は、前記第１方向に、前記吸着剤カートリッジ（32, 116, 200a, 200b, 300a, 300b）を通って、前記容器（26, 104, 114, 224a, 224b, 230, 324, 330）まで圧送されるように構成される、請求項１に記載の透析システム（10, 210, 310）。
【請求項５】
前記透析液は、前記第２方向に、前記吸着剤カートリッジ（32, 116, 200a, 200b, 300a, 300b）を通って、前記患者または透析器（20, 108, 212, 312）まで圧送されるように構成される、請求項２に記載の透析システム（10, 210, 310）。
【請求項６】
前記貯蔵容器（26, 104, 114, 224a, 224b, 230, 324, 330）および前記患者または透析器（20, 108, 212, 312）間に設置される少なくとも一つのバルブを含み、前記制御ユニット（250, 350）は、（ｉ）及び（ｉｉ）を行う為に、前記少なくとも一つのバルブ及び前記ポンプを操作するように更にプログラムされる、請求項１に記載の透析システム（10, 210, 310）。
【請求項７】
前記ポンプ（110, 218, 220, 232, 320, 332）は、可逆回転形ポンプであり、前記制御ユニット（250, 350）は、（ｉ）から（ｉｉ）へ切り替える為に、前記ポンプを逆回転させるようにプログラムされる、請求項１に記載の透析システム（10, 210, 310）。
【請求項８】
前記透析システムは、輸液を更に含み、前記制御ユニット（250, 350）は、（ｉｉ）の間、前記輸液を前記透析液へと調整させるようにプログラムされる、請求項１に記載の透析システム（10, 210, 310）。
【請求項９】
ウレアーゼ層（62, 74, 84）、酸化ジルコニウム層（64, 78, 86, 90）または炭素層（66, 80, 92）のうち少なくとも一つが続くリン酸ジルコニウム層（60, 63, 72, 76, 88）を有する前記吸着剤カートリッジ（32, 116, 200a, 200b, 300a, 300b）は、第２リン酸ジルコニウム層（60, 63, 72, 76, 88）を含む、請求項１に記載の透析システム（10, 210, 310）。
【請求項１０】
前記リン酸ジルコニウム（60, 63, 72, 76, 88）層は、第１リン酸ジルコニウム層であり、前記吸着剤カートリッジ（32, 116, 200a, 200b, 300a, 300b）は第２リン酸ジルコニウム層（60, 63, 72, 76, 88）を含み、前記制御ユニット（250, 350）は、前記ポンプ（110, 218, 220, 232, 320, 332）に前記透析液を圧送させて（ｉ）前記第１リン酸ジルコニウム層が前記ウレアーゼ層及び前記第２リン酸ジルコニウム層より先に前記透析液によって接触される、前記吸着剤カートリッジを通る前記第１方向に、更に、（ｉｉ）前記第２リン酸ジルコニウム層及び前記ウレアーゼ層が前記第１リン酸ジルコニウム層より先に前記透析液によって接触される、前記吸着剤カートリッジを通る、前記第１方向とは逆方向の第２方向に流すようにプログラムされる、請求項１に記載の透析システム（10, 210, 310）。
【請求項１１】
前記リン酸ジルコニウム（60, 63, 72, 76, 88）層は、第１リン酸ジルコニウム層であり、前記吸着剤カートリッジ（32, 116, 200a, 200b, 300a, 300b）は第２リン酸ジルコニウム層（60, 63, 72, 76, 88）を含み、前記ウレアーゼ層（62, 74, 84）に、前記第２リン酸ジルコニウム層（60, 63, 72, 76, 88）、酸化ジルコニウム層（64, 78, 86, 90）、炭素層（66, 80, 92）のうち少なくとも一つが続く、請求項１に記載の透析システム（10, 210, 310）。
【請求項１２】
前記第２リン酸ジルコニウム層に酸化ジルコニウム層が続く、請求項１１に記載の透析システム（10, 210, 310）。
【請求項１３】
前記酸化ジルコニウム層に炭素層が続く、請求項１２に記載の透析システム（10, 210, 310）。
【請求項１４】
前記リン酸ジルコニウム層（60, 63, 72, 76, 88）は第１リン酸ジルコニウム層であり、前記吸着剤カートリッジ（32, 116, 200a, 200b, 300a, 300b）は第２リン酸ジルコニウム層（60, 63, 72, 76, 88）を含み、前記ウレアーゼ層（62, 74, 84）は、前記第１リン酸ジルコニウム層及び前記第２リン酸ジルコニウム層間に配置され、前記第２リン酸ジルコニウム層に隣接して酸化ジルコニウム層（64, 78, 86, 90）が配置され、前記酸化ジルコニウム層に隣接して炭素層（66, 80, 92）が配置される、請求項１に記載の透析システム（10, 210, 310）。
【請求項１５】
透析溶液を再生する方法において、
第１流体方向で透析液を吸着剤カートリッジ(32, 116, 200a, 200b, 300a, 300b）に通過させるステップであって、前記吸着剤カートリッジはハウジング(40）を含み、前記ハウジングは、
ｉ）ウレアーゼ層（62, 74, 84）、酸化ジルコニウム層(64, 78, 86, 90）、又は炭素層(66, 80, 92）のうち少なくとも一つが続くリン酸ジルコニウム(60, 63, 72, 76, 88）層であって、前記リン酸ジルコニウム層は、前記ウレアーゼ層、酸化ジルコニウム層又は炭素層のうち少なくとも一つより先に前記第１流体方向において、前記透析液によって最初に接触される、前記リン酸ジルコニウム(60, 63, 72, 76, 88）層と、
ｉｉ）リン酸ジルコニウム層(60, 63, 72, 76, 88）が続くウレアーゼ層（62, 74, 84）であって、前記ウレアーゼ層は、前記リン酸ジルコニウム層より先に前記透析液によって接触される、前記ウレアーゼ層（62, 74, 84）と、
を有する、前記ステップと、
貯蔵容器(26, 104, 114, 224a, 224b, 230, 324, 330）内に、前記吸着剤カートリッジを通過した前記透析液を貯蔵するステップと、
前記第１流体方向とは逆の流体方向で、前記貯蔵容器から前記透析液を前記吸着剤カートリッジに通過させて戻すステップと、
を備える、方法。
【請求項１６】
前記方法は、血液透析、血液濾過、血液透析濾過または腹膜透析を行う為に使用される、請求項１５に記載の方法。
【請求項１７】
前記逆の流体方向において、前記透析液を最初に炭素(66, 80, 92）と接触させるステップを含む、請求項１５に記載の方法。
【請求項１８】
前記逆の流体方向において、第２の層(62, 74, 84）としてウレアーゼに前記透析液を接触させるステップを含む、請求項１５に記載の方法。
【請求項１９】
前記逆の流体方向において、第２の層(64, 78, 86, 90） として酸化ジルコニウムに前記透析液を接触させるステップを含む、請求項１５に記載の方法。
【請求項２０】
前記リン酸ジルコニウム層(60, 63, 72, 76, 88）が第１リン酸ジルコニウム層であり、前記吸着剤カートリッジ（32, 116, 200a, 200b, 300a, 300b）は、第２リン酸ジルコニウム層(60, 63, 72, 76, 88）を含む、請求項１５に記載の方法。
【請求項２１】
前記ウレアーゼ層(62, 74, 84） は、前記第１リン酸ジルコニウム層及び第２リン酸ジルコニウム層(60, 63, 72, 76, 88）の間に配置される、請求項２０に記載の方法。
【請求項２２】
前記第２リン酸ジルコニウム層(60, 63, 72, 76, 88）に酸化ジルコニウム層（64, 78, 86, 90）および／または炭素層（66, 80, 92）が続く、請求項２１に記載の方法。